(57)【要約】【課題】色の振動を防ぎ、表示装置の応答速度を改善できる光源駆動装置及びこれを含む表示装置を提供する。【解決手段】ディミング制御信号に基づいて、光源各々を駆動させる駆動信号のデューティ調節回数を調節する補償制御部と、前記補償制御部によって調節されたデューティ調節回数に従って、前記光源各々に印加される各々の駆動信号のデューティ比を調節するフィードバック補償部とを有する。【選択図】      図１
2010134421.tif 000002
【特許請求の範囲】
【請求項１】
ディミング制御信号に基づいて、光源各々を駆動させる駆動信号のデューティ調節回数を調節する補償制御部と、
前記補償制御部によって調節されたデューティ調節回数に従って、前記光源各々に印加される各々の駆動信号のデューティ比を調節するフィードバック補償部とを有することを特徴とする光源駆動装置。
【請求項２】
前記補償制御部によって調節されたデューティ調節回数が少なくとも１回以上で、前記調節されたデューティ調節回数によって前記フィードバック補償部が繰り返して動作する場合、
前記フィードバック補償部は、前記光源から出射されてセンシングされた複数のカラー光を基準ホワイト色座標値に対応させることによって、前記駆動信号のデューティ比を調節することを特徴とする請求項１記載の光源駆動装置。
【請求項３】
前記カラー光は、赤色、緑色、及び青色を含むことを特徴とする請求項２記載の光源駆動装置。
【請求項４】
前記補償制御部は、前記ディミング制御信号のディミングレベルを基準ディミングレベルと比較するディミングレベル比較部と、
前記ディミングレベル比較部の比較結果に基づいて前記フィードバック補償部の単位時間当たりのデューティ調節回数であるフィードバック周波数を制御する信号を前記フィードバック補償部に提供するフィードバック周波数調節部とを含むことを特徴とする請求項２記載の光源駆動装置。
【請求項５】
前記ディミング制御信号のディミングレベルが前記基準ディミングレベル未満である場合、
前記フィードバック周波数調節部は、前記フィードバック周波数を減少させることを特徴とする請求項４記載の光源駆動装置。
【請求項６】
前記ディミング制御信号のディミングレベルが基準ディミングレベル以上である場合、
前記フィードバック周波数調節部は、前記フィードバック周波数を維持することを特徴とする請求項４記載の光源駆動装置。
【請求項７】
前記補償制御部によって調節されたデューティ調節回数が少なくとも１回である場合、
前記フィードバック補償部は、前記駆動信号の基準デューティ比及び前記ディミング制御信号のディミングレベルに基づいて前記駆動信号のデューティ比を調節することを特徴とする請求項１記載の光源駆動装置。
【請求項８】
前記補償制御部は、前記ディミング制御信号に基づいて前記駆動信号の基準デューティ比が安定範囲内にあるか否かを判断する判断部を含み、
前記フィードバック補償部は、前記判断部の前記駆動信号の基準デューティ比が安定範囲内にあるか否かの判断結果に基づいて前記駆動信号の基準デューティ比を保存する保存部を含むことを特徴とする請求項７記載の光源駆動装置。
【請求項９】
画像を表示する表示パネルと、
赤色、緑色、及び青色の光源を含み、前記表示パネルに光を提供する光源モジュールと、
ディミング制御信号に基づいて前記光源各々を駆動させる駆動信号のデューティ調節回数を調節する補償制御部と、
前記補償制御部によって調節されたデューティ調節回数に従って、前記光源に印加される各々の駆動信号のデューティ比を調節するフィードバック補償部とを有することを特徴とする表示装置。
【請求項１０】
前記ディミング制御信号が入力されなかった場合、前記フィードバック補償部は１秒当たり９５回〜１０５回動作することを特徴とする請求項９記載の表示装置。
【発明の詳細な説明】
【技術分野】
【０００１】
本発明は、光源駆動装置及びこれを含む表示装置に関し、より詳しくは、色の振動を防ぎ、表示装置の応答速度を改善できる光源駆動装置及びこれを含む表示装置に関する。
【背景技術】
【０００２】
液晶表示装置は、光を利用して画像を表示する液晶表示パネル及び液晶表示パネルの下部に配置されて液晶表示パネルに光を提供するバックライトアセンブリを含む。
【０００３】
液晶表示パネルは、薄膜トランジスタ及び画素電極を有する第１基板、第１基板と対向する共通電極を有する第２基板、及び第１及び第２基板との間に挟持された液晶層を含む。
【０００４】
バックライトアセンブリは、光を発生させて液晶表示パネルに提供する光源ユニットを含む。光源ユニットは、光を発生させる光源で棒形状を有する冷陰極蛍光ランプ（Ｃｏｌｄ  Ｃａｔｈｏｄｅ  Ｆｌｕｏｒｅｓｃｅｎｃｅ  Ｌａｍｐ）、発光ダイオード（Ｌｉｇｈｔ  Ｅｍｉｔｔｉｎｇ  Ｄｉｏｄｅ）などが使用される。発光ダイオードは、低消費電力及び高色再現性といった長所を有する。
【０００５】
発光ダイオードには、赤色光を発生させる赤色発光ダイオード、緑色光を発生させる緑色発光ダイオード、及び青色光を発生させる青色発光ダイオードがある。赤色、緑色、及び青色発光ダイオードで発生された赤色光、緑色光、及び青色光は、互いに混合されて白色光を形成する。ここで、白色光の色座標値は、赤色光、緑色光、及び青色光の光量によって決定される。
【０００６】
白色光の色座標値を維持させるためには、赤色、緑色、及び青色発光ダイオードから発生された赤色光、緑色光、及び青色光の光量を各々センシングし、センシングされた各色光の光量を通じて赤色、緑色、及び青色発光ダイオードをフィードバック制御しなければならない。
【０００７】
しかし、外部からのディミングレベル制御信号が印加された際、色の歪曲（ｃｏｌｏｒ  ｄｉｓｔｏｒｔｉｏｎ）の比率が相対的に高い光を補償する際、光に相対的に大きな色の振動（ｃｏｌｏｒ  ｏｓｃｉｌｌａｔｉｏｎ）の発生を引き起こすという問題点がある。
【０００８】
また、フィードバック制御によって赤色、緑色、及び青色発光ダイオードに提供される駆動信号のデューティ比を調節する際、急激な輝度変化に対応する外部からのディミングレベル制御信号によってフィードバック制御が繰り返されることで、表示装置の応答速度が遅くなるという問題点がある。
【発明の概要】
【発明が解決しようとする課題】
【０００９】
そこで、本発明は上記従来の表示装置における問題点に鑑みてなされたものであって、本発明の目的は、色の振動を防ぎ、表示装置の応答速度を改善できる光源駆動装置を提供することにある。
【００１０】
本発明の他の目的は、上記光源駆動装置を備える表示装置を提供することにある。
【課題を解決するための手段】
【００１１】
上記目的を達成するためになされた本発明による光源駆動装置は、ディミング制御信号に基づいて、光源各々を駆動させる駆動信号のデューティ調節回数を調節する補償制御部と、前記補償制御部によって調節されたデューティ調節回数に従って、前記光源各々に印加される各々の駆動信号のデューティ比を調節するフィードバック補償部とを有することを特徴とする。
【００１２】
前記補償制御部によって調節されたデューティ調節回数が少なくとも１回以上で、前記調節されたデューティ調節回数によって前記フィードバック補償部が繰り返して動作する場合、前記フィードバック補償部は、前記光源から出射されてセンシングされた複数のカラー光を基準ホワイト色座標値に対応させることによって、前記駆動信号のデューティ比を調節することが好ましい。
前記カラー光は、赤色、緑色、及び青色を含むことが好ましい。
前記補償制御部は、前記ディミング制御信号のディミングレベルを基準ディミングレベルと比較するディミングレベル比較部と、前記ディミングレベル比較部の比較結果に基づいて前記フィードバック補償部の単位時間当たりのデューティ調節回数であるフィードバック周波数を制御する信号を前記フィードバック補償部に提供するフィードバック周波数調節部とを含むことが好ましい。
前記ディミング制御信号のディミングレベルが前記基準ディミングレベル未満である場合、前記フィードバック周波数調節部は、前記フィードバック周波数を減少させることが好ましい。
前記ディミング制御信号のディミングレベルが基準ディミングレベル以上である場合、前記フィードバック周波数調節部は、前記フィードバック周波数を維持することが好ましい。
【００１３】
前記補償制御部によって調節されたデューティ調節回数が少なくとも１回である場合、前記フィードバック補償部は、前記駆動信号の基準デューティ比及び前記ディミング制御信号のディミングレベルに基づいて前記駆動信号のデューティ比を調節することが好ましい。
前記補償制御部は、前記ディミング制御信号に基づいて前記駆動信号の基準デューティ比が安定範囲内にあるか否かを判断する判断部を含み、前記フィードバック補償部は、前記判断部の前記駆動信号の基準デューティ比が安定範囲内にあるか否かの判断結果に基づいて前記駆動信号の基準デューティ比を保存する保存部を含むことが好ましい。
【００１４】
上記目的を達成するためになされた本発明による表示装置は、画像を表示する表示パネルと、赤色、緑色、及び青色の光源を含み、前記表示パネルに光を提供する光源モジュールと、ディミング制御信号に基づいて前記光源各々を駆動させる駆動信号のデューティ調節回数を調節する補償制御部と、前記補償制御部によって調節されたデューティ調節回数に従って、前記光源に印加される各々の駆動信号のデューティ比を調節するフィードバック補償部とを有することを特徴とする。
【００１５】
前記ディミング制御信号が入力されなかった場合、前記フィードバック補償部は１秒当たり９５回〜１０５回動作することが好ましい。
【発明の効果】
【００１６】
本発明に係る光源駆動装置及びこれを含む表示装置によれば、外部から印加されるディミング制御信号のディミングレベルによってフィードバック補償部の単位時間当たり調節回数であるフィードバック周波数を調節することで、色の振動を防ぎ、表示装置の応答速度を改善できるという効果がある。
また、外部で印加されるディミング制御信号に従って、フィードバック補償部の動作を１回に制限することによって表示装置の応答速度を改善することができるという効果がある。
【図面の簡単な説明】
【００１７】
【図１】本発明の第１の実施形態による表示装置を示すブロック図である。
【図２】図１に示したバックライトアセンブリの構成を示すブロック図である。
【図３】図２に示した補償制御部の構成を示すブロック図である。
【図４】図２のバックライトアセンブリの駆動方法を説明するためのフローチャートである。
【図５】本発明の第２の実施形態による表示装置を示すブロック図である。
【図６】図５に示したバックライトアセンブリの構成を示すブロック図である。
【図７】図６に示した補償制御部の構成を示すブロック図である。
【図８】図６の光源駆動方法を説明するためのフローチャートである。
【発明を実施するための形態】
【００１８】
次に、本発明に係る光源駆動装置及びこれを含む表示装置を実施するための最良の形態の具体例を図面を参照しながら説明する。
【００１９】
本発明は多様な変更を加えることができ、様々な形態を有することができるため、特定実施形態を図面に例示し、本明細書に詳しく説明する。しかし、これは本発明を特定の開示形態に対して限定しようとすることではなく、本発明の思想及び技術範囲に含まれる全ての変更、均等物、ないしは代替物を含むことと理解されるべきである。
各図面を説明しながら類似する参照符号を、類似する構成要素に対して使用した。添付図面において、構造物のサイズは本発明の明確性に基づくために実際より拡大して示した。第１、第２などの用語は多様な構成要素を説明するにあたって使用することができるが、各構成要素は使用される用語によって限定されるものではない。
各用語は１つの構成要素を他の構成要素と区別する目的で使用されるものであって、例えば、明細書中において、第１構成要素を第２構成要素に書き換えることも可能であり、同様に第２構成要素を第１構成要素とすることができる。単数表現は文脈上、明白に異なる意味を有しない限り、複数の表現を含む。
【００２０】
本明細書において、「含む」または「有する」などの用語は、明細書上に記載された特徴、数字、段階、動作、構成要素、部分品、またはこれらを組み合わせたものが存在することを指定しようとすることであって、１つまたはそれ以上の別の特徴、数字、段階、動作、構成要素、部分品、またはこれらを組み合わせたものの存在または付加可能性を予め排除しないことと理解されるべきである。
また、層、膜、領域、板などの部分が他の部分の「上に」あるとする場合、これは他の部分の「すぐ上に」ある場合のみでなく、その中間にさらに他の部分がある場合も含む。反対に、層、膜、領域、板などの部分が他の部分の「下に」あるとする場合、これは他の部分の「すぐ下に」ある場合のみでなく、その中間にさらに他の部分がある場合も含む。
【００２１】
図１は、本発明の第１の実施形態による表示装置を示すブロック図である。
【００２２】
図１を参照すると、本発明の第１の実施形態による表示装置は、表示パネル１００、タイミング制御部１１０、パネル駆動部１５０、及びバックライトアセンブリ３００を含む。
【００２３】
表示パネル１００は、画像を表示する複数の画素を含む。例えば、画素はＭ×Ｎ（Ｍ、Ｎは自然数）個である。各画素Ｐは、ゲート配線ＧＬ及びデータ配線ＤＬに接続されたスイッチング素子ＴＲに接続された液晶コンデンサＣＬＣ、及びストレージキャパシタＣＳＴを含む。
【００２４】
タイミング制御部１１０は、外部から１次制御信号１０１及び１次画像信号１０２を受信する。
タイミング制御部１１０は、受信された１次制御信号１０１を利用してデータ信号１０３ｄ、表示パネル１００の駆動タイミングを制御するデータ制御信号１０３ｃ及びゲート制御信号１０４ｃを生成する。データ制御信号１０３ｃは、水平開始信号を含む。ゲート信号１０４ｃは、クロック信号及び垂直開始信号を含む。
【００２５】
パネル駆動部１５０は、データ駆動部１３０及びゲート駆動部１４０を含む。
データ駆動部１３０は、タイミング制御部１１０から提供されたデータ制御信号１０３ｃ及びデータ信号１０３ｄを利用してデータ配線ＤＬを駆動させる。
即ち、データ駆動部１３０は、データ信号１０３ｄをアナログ形態のデータ信号に変換させてデータ配線ＤＬに出力する。
【００２６】
ゲート駆動部１４０は、タイミング制御部１１０から提供されたゲート制御信号１０４ｃを利用してゲート配線ＧＬを駆動させる。即ち、ゲート駆動部１４０は、ゲート配線ＧＬと電気的に接続されたスイッチング素子ＴＲをターンオンまたはターンオフさせるゲート信号をゲート配線ＧＬに出力する。
【００２７】
バックライトアセンブリ３００は、表示パネル１００に光を提供する。
バックライトアセンブリ３００は、光源モジュール２００、補償制御部２６０、及びフィードバック補償部２７０を含む。ここで、補償制御部２６０及びフィードバック補償部２７０は、光源モジュール２００を駆動させる光源駆動装置２８０として構成される。
【００２８】
光源モジュール２００は、複数の光源が搭載された印刷回路基板を含む。ここで、カラー光は、赤色、緑色、及び青色を含む。また、光源は赤色光源、緑色光源、及び青色光源を含む。
【００２９】
例えば、光源モジュール２００は、第１波長帯の光を発光する第１光源、第２波長帯の光を発光する第２光源、及び第３波長帯の光を発送する第３光源を含む。本実施形態において、第１光源は赤色光源であり、第２光源は緑色光源であり、第３光源は青色光源である。
【００３０】
光源モジュール２００は、Ｉ×Ｊ（Ｉ、Ｊは自然数）個の発光ブロックＢに分けられる。各発光ブロックＢは、ローカルディミング方式によって表示パネル１００に表示された画像に従って個別に駆動させることができる。発光ブロックＢは、赤色、緑色、及び青色の光源を含み、発光ダイオードを含むことができる。
【００３１】
フィードバック補償部２７０は、光量センシング部２１０、電流制御部２２０、ローカルディミング制御部２３０、及び光源駆動部２５０を含む。
【００３２】
光量センシング部２１０は、光源モジュール２００の光量をセンシング（ｓｅｎｓｉｎｇ）し、センシングされた光量による光量信号を電流制御部２２０及びローカルディミング制御部２３０に提供する。
【００３３】
電流制御部２２０は、光量センシング部２１０から提供された光量信号に基づいて光源駆動部２５０に提供される駆動信号の電流レベルを調節する。
例えば、電流制御部２２０は、光量信号が基準ホワイト色座標値に対応するように電流レベルを調節することによって、赤色、緑色、及び青色の光量を調節する。
【００３４】
ローカルディミング制御部２３０は、タイミング制御部１１０から提供された制御信号２１０ｃ及び画像信号２１０ｄの印加を受ける。
ローカルディミング制御部２３０は、画像信号２１０ｄを発光ブロックＢに対応する複数の画像ブロックＤに分け、各画像ブロックの階調レベルに対応して該当する発光ブロックＢの輝度を制御する。
【００３５】
ローカルディミング制御部２３０は、光量センシング部２１０から提供された光量信号に基づいて赤色、緑色、及び青色の駆動信号の基準デューティ比を調節する。
【００３６】
例えば、ローカルディミング制御部２３０は、センシングされた赤色、緑色、及び青色の光量に対応する実際の光量比と基準光量比とを比較する。実際の光量比が基準光量比と一致しない場合、ローカルディミング制御部２３０は、実際の光量比が基準光量比と一致するように赤色、緑色、及び青色駆動信号のデューティ（ｄｕｔｙ）比を変更する。
【００３７】
ここで、光量センシング部２１０は、繰り返して光源モジュール２００の光量をセンシングする。ローカルディミング制御部２３０は、光量信号に基づいて光源モジュール２００に印加される赤色、緑色、及び青色駆動信号のデューティ比を調節する。
【００３８】
光源駆動部２５０は、電流制御部２２０及びローカルディミング制御部２３０からの制御信号に従って、赤色、緑色、及び青色の駆動信号を生成する。これら駆動信号は、光源モジュール２００の光量に対応して調節された電流レベル及びデューティ比を有する。
【００３９】
フィードバック補償部２７０が、少なくとも１回以上繰り返し動作すると、フィードバック補償部２７０は、カラー光を基準ホワイト色座標値に対応するよう調整することによって、駆動信号のデューティ比は調節される。ここで、カラー光は、光源から出射されて光量センシング部２１０でセンシングされた光である。
【００４０】
即ち、フィードバック補償部２７０は、赤色、緑色、及び青色駆動信号のデューティ比が基準ホワイト色座標値に対応するように赤色、緑色、及び青色駆動信号のデューティ比を繰り返して調節し補償する。従って、光源モジュール２００の光量によってフルホワイト（ｆｕｌｌ  ｗｈｉｔｅ）光は常に一定した光量を維持できる。
【００４１】
補償制御部２６０は、外部から印加されるディミング制御信号ＥＣに基づいて光源各々を駆動させる駆動信号のデューティ調節回数を調節するために、光量センシング部２１０を制御する。
ディミング制御信号ＥＣは使用者の操作によって入力することもできる。
補償制御部２６０は、フィードバック補償部２７０によって実行される単位時間当たりのデューティ調節回数であるフィードバック周波数に従って光量センシング部２１０を制御できる。
【００４２】
例えば、低い輝度の画像を表示するために低いディミング制御レベルＤＩＬを有するディミング制御信号ＥＣが印加されると、補償制御部２６０は、光源に印加される駆動信号のデューティ比を調節してフィードバック周波数を減らす。
これによって、フィードバック補償部２７０は、フィードバック周波数に対応して赤色、緑色、及び青色駆動信号のデューティ比を繰り返して調節することができる。
【００４３】
図２は、図１に示したバックライトアセンブリを示すブロック図である。
図１及び図２を参照すると、バックライトアセンブリ３００は、光源モジュール２００及びフィードバック補償部２７０を含む。フィードバック補償部２７０は、光量センシング部２１０、電流制御部２２０、ローカルディミング制御部２３０、及び光源駆動部２５０を含む。
【００４４】
光量センシング部２１０は、光源モジュール２００の光量をセンシングし、センシングされた光量による光量信号を電流制御部２２０及びローカルディミング制御部２３０に提供する。
【００４５】
電流制御部２２０は、ルックアップテーブル（Ｌｏｏｋ  Ｕｐ  Ｔａｂｌｅ：ＬＵＴ）２２１を含み、受信した光量信号に基づいて光源駆動部２５０に提供する駆動信号の電流レベルを調節する。
ルックアップテーブル２２１には、光量信号に対応する駆動信号の電流レベルが保存される。従って、電流制御部２２０は、光量信号が基準ホワイト色座標値に対応するように電流レベルを調節することによって、赤色、緑色、及び青色の光量を調節することができる。
【００４６】
ローカルディミング制御部２３０は、代表決定部２３１、基準デューティ比決定部２３３、及びデューティ比決定部２３５を含む。
代表決定部２３１は、タイミング制御部１１０から提供された制御信号２１０ｃ及び画像信号２１０ｄの印加を受け、画像信号２１０ｄを発光ブロックＢに対応する複数の画像ブロックＤに分ける。
代表決定部２３１は、各画像ブロックＤの赤色、緑色、及び青色の階調レベルを利用して赤色、緑色、及び青色の代表階調レベルを決定する。
【００４７】
例えば、代表階調レベルは、画像ブロックのデータのうち、最大階調レベルのデータであるか、または平均階調レベルのデータであってもよい。従って、代表決定部２３１は、発光ブロックＢに対応するブロックＤの赤色、緑色、及び青色代表階調レベルを決定する。
【００４８】
基準デューティ比決定部２３３は、ルックアップテーブルＬＵＴ２３３ａを含み、受信された光量信号に基づいて外部環境の光量に従って赤色、緑色、及び青色駆動信号の基準デューティ比を決定する。例えば、基準デューティ比は、フルホワイト光に対する赤色、緑色、及び青色駆動信号のデューティ比である。
【００４９】
デューティ比決定部２３５は、光源モジュール２００の光量によって決定された赤色、緑色、及び青色駆動信号の基準デューティ比に基づいて発光ブロックＢに対応する赤色、緑色、及び青色の代表階調レベルデータを利用して赤色、緑色、及び青色駆動信号のデューティ比を決定する。従って、赤色、緑色、及び青色駆動信号は、カラーディミングモードに対応するデューティ比を有する。
【００５０】
光源駆動部２５０は、赤色（Ｒ）駆動回路２５１、緑色（Ｇ）駆動回路２５３、及び青色（Ｂ）駆動回路２５５を含む。赤色、緑色、及び青色駆動回路（２５１、２５３、２５５）各々は、電流制御部２２０から提供された駆動電流及びデューティ比決定部２３５から提供されたデューティ比データである赤色、緑色、及び青色駆動信号のデューティ比を利用して赤色、緑色、及び青色駆動信号を生成する。
【００５１】
赤色駆動回路２５１は、発光ブロックＢに含まれる赤色光源（Ｒ＿ＬＥＤ）に赤色駆動信号（ＰＷＭ＿Ｒ）を出力し、緑色駆動回路２５３は、発光ブロックＢに含まれる緑色光源（Ｇ＿ＬＥＤ）に緑色駆動信号（ＰＷＭ＿Ｇ）を出力し、青色駆動回路２５５は、発光ブロックＢに含まれる青色光源（Ｂ＿ＬＥＤ）に青色駆動信号（ＰＷＭ＿Ｂ）を出力する。
【００５２】
結果として、フルホワイト光に対応する赤色、緑色、及び青色駆動信号の基準デューティ比は、光源モジュール２００の光量に対応して変化する。従って、変化した基準デューティ比に対応して光源モジュール２００に提供される電流レベルも変化する。変化した電流レベルに対応してデューティ比が調節されて赤色、緑色、及び青色の光源のフルホワイト光量が常に一定に補償される。即ち、人の目には、光源モジュール２００の光量と無関係なく一定の色あいを感じることができる。
【００５３】
補償制御部２６０は、外部から印加されるディミング制御信号ＥＣに応答して光量センシング部２１０を制御する。
補償制御部２６０は、低い輝度の画像を表示するために低いディミングレベルＤＩＬを有するディミング制御信号ＥＣが印加されると、補償制御部２６０は、フィードバック周波数を減らす。これによって、フィードバック補償部２７０は、フィードバック周波数に対応して赤色、緑色、及び青色駆動信号のデューティ比を繰り返して調整する。
【００５４】
あるいはまた、高い輝度の画像を表示するために高いディミングレベルＤＩＬを有するディミング制御信号ＥＣが印加されると、補償制御部２６０は、フィードバック周波数をディミング制御信号ＥＣが印加されなかった際のフィードバック周波数と実質的に同一になるように維持する。フィードバック補償部２７０は、フィードバック周波数に対応して赤色、緑色、及び青色駆動信号のデューティ比を繰り返して調節する。
【００５５】
低いディミングレベルＤＩＬに対応して光源モジュール２００が動作する場合、「色の歪曲率」（ｃｏｌｏｒ  ｄｉｓｔｏｒｔｉｏｎ  ｒａｔｅ）が相対的に高い。
しかし、相対的に高い「色の歪曲率」を補償するためにフィードバック補償部２７０が常に一定のフィードバック周波数に対応して動作するとすれば、赤色、緑色、及び青色駆動信号のデューティ比は基準ホワイト色座標値に対応するように補償されて相対的に高い「色の振動」（ｃｏｌｏｒ  ｏｓｃｉｌｌａｔｉｏｎ）を発生させる。
【００５６】
一般的に、「色の歪曲」（ｃｏｌｏｒ  ｄｉｓｔｏｒｔｉｏｎ）は、あまり視認されないが、「色の振動」（ｃｏｌｏｒ  ｏｓｃｉｌｌａｔｉｏｎ）は容易に視認できる。
従って、補償制御部２６０がフィードバック周波数を下げる制御をすることによって「色の振動」の発生を防止することができる。
【００５７】
図３は、図２に示した補償制御部を示すブロック図である。
図２及び図３を参照すると、補償制御部２６０は、ディミングレベル比較部２６１及びフィードバック周波数調節部２６３を含む。
ここで、基準ディミングレベルＤＬＲは、例えば２０％とする。
【００５８】
ディミングレベル比較部２６１は、ディミング制御信号ＥＣのディミングレベルＤＩＬと基準ディミングレベルＤＬＲとを比較する。
フィードバック周波数調節部２６３は、ディミングレベル比較部２６１の出力に従ってフィードバック補償部２７０によって実行される単位時間当たりのデューティ調節回数であるフィードバック周波数を制御するフィードバック周波数制御信号ＦＦＣをフィードバック補償部２７０に提供する。
【００５９】
例えば、ディミング制御信号ＥＣに対応するディミングレベルＤＩＬが、基準ディミングレベルＤＬＲより大きければ、光源モジュール２００から出射される光に対応する「色の歪曲」は大きく発生しない。
従って、ディミング制御信号ＥＣが入力されなかった時と同一のフィードバック周波数に対応してフィードバック補償部２７０は、赤色、緑色、及び青色駆動信号のデューティ比を補償する。ここで、フィードバック周波数は、約９５Ｈｚ〜１０５Ｈｚである。即ち、フィードバック補償部２７０は、１秒当たり約９５回〜１０５回動作する。
【００６０】
ここで、ディミング制御信号ＥＣに対応するディミングレベルＤＩＬが基準ディミングレベルＤＬＲより大きければ、光源モジュール２００から出射される光の色座標値は、基準ホワイト色座標値と近くなる。
従って、フィードバック補償部２７０によって赤色、緑色、及び青色駆動信号のデューティ比が繰り返して頻繁に補償されても「色の振動」の発生はあまり大きくない。従って、「色の振動」はあまり視認されない。
【００６１】
一方、ディミング制御信号ＥＣに対応するディミングレベルＤＩＬが基準ディミングレベルＤＬＲより小さければ、光源モジュール２００から出射される光の「色の歪曲」は大きく発生する。
従って、ディミング制御信号ＥＣが入力されなかった時のフィードバック周波数より小さいフィードバック周波数に対応してフィードバック補償部２７０は、赤色、緑色、及び青色駆動信号のデューティ比を補償する。
【００６２】
一般的に、ディミング制御信号ＥＣに対応するディミングレベルＤＩＬが基準ディミングレベルＤＬＲより小さければ、光源モジュール２００から出射される光の色座標値は、基準ホワイト色座標値から遠くなる。
また、基準ホワイト色座標値に近づくためにフィードバック補償部２７０によって赤色、緑色、及び青色駆動信号のデューティ比が繰り返して頻繁に補償されても、補償された赤色、緑色、及び青色駆動信号のデューティ比に対応する色座標値は、基準ホワイト色座標値に近づかない。
【００６３】
従って、「色の振動」の大きさが大きくなると、時間によって色が変わって視認されるという問題点が発生する。
【００６４】
しかしながら、本実施形態によれば、「色の振動」の大きさを減らすためにフィードバック補償部２７０が相対的に小さいフィードバック周波数に従って、赤色、緑色、及び青色駆動信号のデューティ比を補償する。
従って、「色の振動」の大きさが大きくなる不良を防ぐことができる。ここで、小さいフィードバック周波数とは、約０．５Ｈｚ〜５Ｈｚである。
【００６５】
図４は、図２のバックライトアセンブリの駆動方法を説明するためのフローチャートである。
図２及び図４を参照すると、ディミング制御信号ＥＣが印加されたか否かを判定する（ステップＳ１０５）。
【００６６】
ステップＳ１０５で、ディミング制御信号ＥＣが印加されたと判定されると、ディミングレベル比較部２６１はディミング制御信号ＥＣのディミングレベルＤＩＬがディミングレベル比較部２６１の内部に保存されている基準値である基準ディミングレベルＤＬＲより小さいか否かを判定する（ステップＳ１１０）。
【００６７】
ステップＳ１１０で、ディミングレベルＤＩＬが基準ディミングレベルＤＬＲより大きいかまたは同一であると判定されると、補償制御部２６０は、駆動信号のデューティ比が繰り返して調節される回数であるフィードバック周波数を減らす制御を遂行する（ステップＳ１２０）。
【００６８】
続いて、減少したフィードバック周波数に従って、フィードバック補償部２７０は光源モジュール２００が含む複数の光源から出射されてセンシングされた複数のカラー光を基準ホワイト色座標値に対応させることによって駆動信号のデューティ比を調節する（ステップＳ１３０）。
【００６９】
また、ステップＳ１１０で、ディミングレベルＤＩＬが、基準ディミングレベルＤＬＲより小さいと判定されると、補償制御部２６０は、駆動信号のデューティ比が繰り返して調節される回数であるフィードバック周波数を維持する制御を遂行する（ステップＳ１２５）。
【００７０】
また、ステップＳ１０５で、ディミング制御信号ＥＣが印加されていないと判定されるか、またはステップＳ１２０及びステップＳ１２５に続いて、減少したフィードバック周波数又は維持されたフィードバック周波数に従ってフィードバック補償部２７０は、光源モジュール２００が含む複数の光源から出射されてセンシングされた複数のカラー光を基準ホワイト色座標値に対応させることによって駆動信号のデューティ比を調節する（ステップＳ１３０）。
即ち、ディミング制御信号ＥＣが印加されなかった場合、フィードバック補償部２７０が時間当たりで動作する回数であるフィードバック周波数と同一の速度でフィードバック補償部２７０が動作する。
【００７１】
上述のごとく説明したように、補償制御部２６０がフィードバック補償部２７０の動作を制御することによって、ディミング制御信号ＥＣのディミングレベルが充分に大きくない場合に発生することが懸念される大きな「色の振動」を防ぐことができる。
【００７２】
図５は、本発明の第２の実施形態による表示装置を示すブロック図である。
図５を参照すると、本発明の第２の実施形態による表示装置は表示パネル１００、タイミング制御部１１０、パネル駆動部１５０、及びバックライトアセンブリ５００を含む。
ここで、バックライトアセンブリ５００を除けば、第２の実施形態による表示装置は第１の実施形態による表示装置と実質的に同一であるため、対応する要素に対しては同様の参照番号を使用し、重複される説明は省略する。
【００７３】
バックライトアセンブリ５００は、表示パネル１００に光を提供する。
また、バックライトアセンブリ５００は、光源モジュール２００、補償制御部４６０、及びフィードバック補償部４７０を含む。ここで、補償制御部４６０及びフィードバック補償部４７０は、光源モジュール２００を駆動させる光源駆動装置４８０として構成される。
【００７４】
フィードバック補償部４７０は、光量センシング部４１０、電流制御部４２０、ローカルディミング制御部４３０、及び光源駆動部２５０を含む。
【００７５】
光量センシング部４１０は、光源モジュール２００の光量をセンシングし、センシングされた光量による光量信号を電流制御部４２０及びローカルディミング制御部４３０に提供する。
【００７６】
電流制御部４２０は、光量センシング部４１０から提供された光量信号に基づいて光源駆動部２５０に提供される駆動信号の電流レベルを調節する。
例えば、光量信号が基準ホワイト色座標値に対応するように電流レベルを調節することによって、赤色、緑色、及び青色の光量を調節する。
【００７７】
ローカルディミング制御部４３０は、画像信号２１０ｄを発光ブロックＢに対応するように複数の画像ブロックＤに分け、各画像ブロックの階調レベルに対応して該当する発光ブロックＢの輝度を制御する。
【００７８】
ローカルディミング制御部４３０は、光量センシング部４１０から提供された光量信号に基づいて赤色、緑色、及び青色の駆動信号の基準デューティ比を調節する。
【００７９】
例えば、ローカルディミング制御部４３０は、センシングされた赤色、緑色、及び青色の光量間の実際の光量比と基準光量比とを比較する。実際の光量比が基準光量比と一致しない場合、ローカルディミング制御部４３０は、実際の光量比が基準光量比と一致するように赤色、緑色、及び青色駆動信号のデューティ比を変更する。
【００８０】
ここで、光量センシング部４１０は、繰り返して光源モジュール２００の光量をセンシングし、ローカルディミング制御部４３０は、光量信号に基づいて光源モジュール２００に印加される赤色、緑色、及び青色駆動信号のデューティ比を調節する。
【００８１】
光源駆動部２５０は、電流制御部４２０及びローカルディミング制御部４３０からの制御信号に従って、赤色、緑色、及び青色駆動信号を生成する。これら駆動信号は、光源モジュール２００の光量に対応して調節された電流レベル及びデューティ比を有する。
【００８２】
即ち、フィードバック補償部４７０によって赤色、緑色、及び青色駆動信号のデューティ比が基準ホワイト色座標値に対応するように繰り返して調節され、赤色、緑色、及び青色駆動信号のデューティ比は補償される。従って、光源モジュール２００の光量に従ってフルホワイト光は常に一定した光量を維持することができる。
【００８３】
補償制御部４６０は、外部から印加されるディミング制御信号ＥＣに応答してフィードバック補償部４７０を制御するフィードバック中断信号をフィードバック補償部４７０に提供する。
ここで、ディミング制御信号ＥＣは、使用者の操作によって入力することができる。補償制御部４６０は、フィードバック中断信号に基づいてフィードバック補償部４７０を動作させる回数を制御する。
【００８４】
例えば、ディミング制御信号ＥＣが印加されると、フィードバック補償部４７０は、赤色、緑色、及び青色駆動信号のデューティ比を繰り返して調節（変更）することを中断する。フィードバック補償部４７０は、赤色、緑色、及び青色駆動信号のデューティ比を１回だけ調節する。
【００８５】
赤色、緑色、及び青色駆動信号のデューティ比を調節する時、光量センシング部４１０は、繰り返して光源モジュール２００の光量をセンシングする。
ローカルディミング制御部４３０は、センシングされた光量に基づいて光源モジュール２００に印加される赤色、緑色、及び青色駆動信号の基準デューティ比を調節しない。その代わり、ローカルディミング制御部４３０は、ディミング制御信号ＥＣが印加される直前に調節された赤色、緑色、及び青色駆動信号の基準デューティ比をディミングレベルに対応するように調節する。
【００８６】
即ち、外部からディミング制御信号ＥＣが印加されると、フィードバック補償部４７０は光量をセンシングし、光量信号が基準ホワイト色座標値に対応するように繰り返して光量を調節する動作を一時的に中止する。
この時、フィードバック補償部４７０は、ディミング制御信号ＥＣが印加される直前に調節された赤色、緑色、及び青色駆動信号の基準デューティ比がディミングレベルに対応するように調節する。それにより、表示装置の応答速度は改善される。
【００８７】
また、フィードバック補償部４７０は、基準デューティ比を補償制御部４６０に提供することで、赤色、緑色、及び青色駆動信号の基準デューティ比が安定範囲内にあるか否かを補償制御部４６０が判定できるようにする。従って、フィードバック補償部４７０は、安定範囲内にある赤色、緑色、及び青色駆動信号の基準デューティ比を調節することができる。
【００８８】
図６は、図５に示したバックライトアセンブリの構成を示すブロック図である。
図５及び図６を参照すると、バックライトアセンブリ５００は光源モジュール２００及びフィードバック補償部４７０を含む。
【００８９】
フィードバック補償部４７０は、光量センシング部４１０、電流制御部２２０、ローカルディミング制御部４３０、及び光源駆動部２５０を含む。
光量センシング部４１０は、光源モジュール２００の光量をセンシングし、センシングされた光量による光量信号を電流制御部２２０及びローカルディミング制御部４３０に提供する。
【００９０】
電流制御部２２０は、ルックアップテーブル（Ｌｏｏｋ  Ｕｐ  Ｔａｂｌｅ：ＬＵＴ）２２１を含み、受信した光量信号に基づいて光源駆動部２５０に提供する駆動信号の電流レベルを調節する。
ルックアップテーブル２２１は、光量信号に対応する駆動信号の電流レベルが保存される。従って、光量信号が基準ホワイト色座標値に対応するように電流レベルを調節することで、赤色、緑色、及び青色の光量を調節することができる。
【００９１】
ローカルディミング制御部４３０は、代表決定部２３１、基準デューティ比決定部４３３、及びデューティ比決定部２３５を含む。
【００９２】
代表決定部２３１は、タイミング制御部１１０から提供された制御信号２１０ｃ及び画像信号２１０ｄの印加を受け、画像信号２１０ｄを発光ブロックＢに対応する複数の画像ブロックＤに分ける。
代表決定部２３１は、各画像ブロックＤの赤色、緑色、及び青色の階調レベルを利用して赤色、緑色、及び青色の代表階調レベルを決定する。
代表階調レベルは、画像ブロックのデータのうち、最大階調レベルのデータであるかまたは平均階調レベルのデータであってもよい。従って、代表決定部２３１は、発光ブロックＢに対応する画像ブロックの赤色、緑色、及び青色の代表階調レベルを決定する。
【００９３】
基準デューティ比決定部４３３は、ルックアップテーブル（ＬＵＴ）４３３ａ及び保存部４３３ｂを含み、受信された光量信号に基づいて外部環境の光量に従って赤色、緑色、及び青色駆動信号の基準デューティ比を決定する。例えば、基準デューティ比はフルホワイト光に対する赤色、緑色、及び青色駆動信号のデューティ比である。
【００９４】
基準デューティ比決定部４３３は、ルックアップテーブル４３３ａを利用して受信された光量信号に対応する赤色、緑色、及び青色駆動信号の基準デューティ比を決定する。
【００９５】
基準デューティ決定部４３３がディミング制御信号ＥＣを受信し、補償制御部４６０がフィードバック中断信号を受信した時、基準デューティ決定部４３３の保存部４３３ｂはディミング制御信号ＥＣが印加される直前の赤色、緑色、及び青色駆動信号の基準デューティ比を保存する。
【００９６】
基準デューティ比決定部４３３は、保存された赤色、緑色、及び青色駆動信号の基準デューティ比をディミング制御信号ＥＣのディミングレベルに対応するように調整して、調整された基準デューティ比をデューティ比決定部２３５に提供する。
【００９７】
デューティ比決定部２３５は、光源モジュール２００の光量に従って決定された赤色、緑色、及び青色駆動信号の基準デューティ比に基づいて発光ブロックＢに対応する赤色、緑色、及び青色の代表階調レベルデータを用いて赤色、緑色、及び青色駆動信号のデューティ比を決定する。従って、赤色、緑色、及び青色駆動信号の各々はカラーディミングモードに対応するデューティ比を有する。
【００９８】
光源駆動部２５０は、赤色（Ｒ）駆動回路２５１、緑色（Ｇ）駆動回路２５３、及び青色（Ｂ）駆動回路２５５を含む。赤色、緑色、及び青色駆動回路（２５１、２５３、２５５）各々は電流制御部２２０から提供された駆動電流及びデューティ比決定部２３５から提供されたデューティ比データを用いて赤色、緑色、及び青色駆動信号を生成する。
【００９９】
赤色駆動回路２５１は、発光ブロックＢに含まれる赤色光源（Ｒ＿ＬＥＤ）に赤色駆動信号（ＰＷＭ＿Ｒ）を出力し、緑色駆動回路２５３は、発光ブロックＢに含まれる緑色光源（Ｇ＿ＬＥＤ）に緑色駆動信号（ＰＷＭ＿Ｇ）を出力し、青色駆動回路２５５は、発光ブロックＢに含まれる青色光源（Ｂ＿ＬＥＤ）に青色駆動信号（ＰＷＭ＿Ｂ）を出力する。
【０１００】
補償制御部４６０は、外部から印加されるディミング制御信号ＥＣに応答してフィードバック補償部４７０を制御する。
【０１０１】
一般的に、光源モジュール２００の輝度を制御するディミングレベルに対応して光源モジュール２００が動作する時、表示装置の応答速度が遅い。
従って、補償制御部４６０は、フィードバック補償部４７０の動作回数を制御し、フィードバック補償部４７０が一時的に保存された赤色、緑色、及び青色駆動信号の基準デューティ比をディミングレベルに対応するように調節する。
【０１０２】
これによって、フィードバック補償部４７０は、外部からの制御によって光源モジュール２００の光量が減少するにもかかわらず、光量を補償するために赤色、緑色、及び青色駆動信号の基準デューティ比を不必要に繰り返して調節することを防ぐことができる。従って、表示装置の全体的な応答速度が改善される。
【０１０３】
図７は、図６に示した補償制御部の構成を示すブロック図である。
図６及び図７を参照すると、補償制御部４６０はフィードバック中断指示部４６１及び判断部４６３を含む。
【０１０４】
フィードバック中断指示部４６１は、ディミング制御信号ＥＣに従ってフィードバック補償部４７０が動作する一般的な動作手順を中断させるフィードバック中断信号を発生する。
【０１０５】
判断部４６３は、基準デューティ比決定部４３３でディミング制御信号ＥＣが印加される直前に決定された赤色、緑色、及び青色駆動信号の基準デューティ比ＤＲの印加を受け、赤色、緑色、及び青色駆動信号の基準デューティ比ＤＲが安定範囲内にあるか否かを判断する。
【０１０６】
もし、判断部４６３が、赤色、緑色、及び青色駆動信号の基準デューティ比が安定範囲内にあると判断すれば、判断部４６３は保存部４３３ｂが赤色、緑色、及び青色駆動信号の基準デューティ比を保存するように保存信号ＳＳを保存部４３３ｂに提供する。
【０１０７】
基準デューティ決定部４３３は、光源モジュール２００の光量に従って決定される赤色、緑色、及び青色駆動信号の基準デューティ比に基づいて発光ブロックＢに対応する赤色、緑色、及び青色の代表階調レベルデータを用いて赤色、緑色、及び青色駆動信号のデューティ比を決定する。
【０１０８】
図８は、図６の光源駆動方法を説明するためのフローチャートである。
図６及び図８を参照すると、まず、ディミング制御信号ＥＣが印加されたか否かを判断する（ステップＳ２０５）。
【０１０９】
ステップＳ２０５において、ディミング制御信号ＥＣが印加されたと判断されると、補償制御部４６０に具備されるフィードバック中断支持部４６１はデューティ比決定部４６３にフィードバック中断信号を提供する（ステップＳ２１０）。
【０１１０】
続いて、判断部４６３は、基準デューティ比決定部４３３がディミング制御信号ＥＣが印加される直前に決定した赤色、緑色、及び青色駆動信号の基準デューティ比が安定範囲内に存在するか否かを判断する（ステップＳ２２０）。
【０１１１】
ステップＳ２２０において、基準デューティ比が安定範囲内に存在すると判断されると、基準デューティ比決定部４３３は、光量に従って、赤色、緑色、及び青色駆動信号の基準デューティ比を決定する代わりに、ディミング制御信号ＥＣが印加される直前に基準デューティ比決定部４３３が決定した赤色、緑色、及び青色駆動信号の基準デューティ比を保存部４３３ｂに保存する（ステップＳ２３０）。
【０１１２】
続いて、基準デューティ比決定部４３３は、赤色、緑色、及び青色駆動信号の基準デューティ比がディミング制御信号ＥＣのディミングレベルに対応するように赤色、緑色、及び青色駆動信号の基準デューティ比を調節する（ステップＳ２４０）。
【０１１３】
また、ステップＳ２２０において、基準デューティ比が安定範囲内に存在しないと判断されると、基準デューティ比決定部４３３は、ディミング制御信号ＥＣが印加される直前に決定した赤色、緑色、及び青色駆動信号の基準デューティ比を保存部４３３ｂに保存しない。その代わりに、基準デューティ比決定部４３３に既に保存されている赤色、緑色、及び青色駆動信号の基準デューティ比がディミング制御信号ＥＣのディミングレベルに対応するようにデューティ比を調節した後（ステップＳ２４０）、ステップＳ２０５にフィードバックする。
【０１１４】
また、ステップＳ２０５において、ディミング制御信号ＥＣが印加されていないと判断されると、補償制御部４６０は、いかなる制御信号も発生せず、フィードバック補償部４７０は、光源モジュール２００が含む複数の光源から出射されてセンシングされた複数のカラー光が基準ホワイト色座標値に対応するように駆動信号の基準デューティ比を調節して光源モジュールから出射されるカラー光の色座標を補償する（ステップＳ２１５）。
【０１１５】
例えば、外部から最初のディミング制御信号ＥＣが印加されると、フィードバック中断指示部４６１は判断部４６３にフィードバック中断信号を提供する。
【０１１６】
続いて、判断部４６３は、基準デューティ比決定部４３３が最初のディミング制御信号ＥＣが印加される直前に決定した最初の赤色、緑色、及び青色駆動信号の基準デューティ比が安定範囲内にあるか否かを判断する
【０１１７】
この時、最初のディミング制御信号ＥＣが印加される直前の最初の赤色、緑色、及び青色駆動信号の基準デューティ比は既に安定した状態である。
これは、最初のディミング制御信号ＥＣが印加される直前にはフィードバック補償部４７０によって光源モジュール２００が含む複数の光源から出射されてセンシングされた複数のカラー光が基準ホワイト色座標値に対応するように充分に補償されているためである。
【０１１８】
従って、基準デューティ比決定部４３３の保存部４３３ｂは決定された最初の赤色、緑色、及び青色駆動信号の基準デューティ比を保存し、判断部４６３は、最初の赤色、緑色、及び青色駆動信号の基準デューティ比がディミング制御信号ＥＣのディミングレベルに対応するように基準デューティ比を調節する。
【０１１９】
続いて、２番目のディミング制御信号ＥＣが印加されるまで、補償制御部４６０はいかなる制御信号も発生しない。フィードバック補償部４７０は、光源モジュール２００が含む複数の光源から出射されてセンシングされた複数のカラー光が基準ホワイト色座標値に対応するように補償する。
【０１２０】
続いて、２番目のディミング制御信号ＥＣが印加されると、フィードバック中断支持部４６１は、判断部４６３にフィードバック中断信号を提供する。
【０１２１】
続いて、判断部４６３は、基準デューティ比決定部４４３が２番目のディミング制御信号ＥＣが印加される直前に決定した２番目の赤色、緑色、及び青色駆動信号の基準デューティ比が安定範囲内にあるか否かを判断する。
【０１２２】
上記判断の結果、２番目の赤色、緑色、及び青色駆動信号の基準デューティ比が安定範囲内にあると、基準デューティ比決定部４３３の保存部４３３ｂは基準デューティ比決定部４３３が決定した２番目の赤色、緑色、及び青色駆動信号の基準デューティ比を保存する。
【０１２３】
２番目のディミング制御信号ＥＣが最初のディミング制御信号ＥＣに対応する補償がなされた後にすぐ印加される時、フィードバック補償部４７０によって決定された２番目の赤色、緑色、及び青色駆動信号の基準デューティ比が充分に補償された状態ではない。従って、２番目のディミング制御信号ＥＣが印加される直前に決定した２番目の赤色、緑色、及び青色駆動信号の基準デューティ比が安定範囲内にない。
【０１２４】
従って、２番目の赤色、緑色、及び青色駆動信号の基準デューティ比が安定範囲内にない時、基準デューティ比決定部４３３の保存部４３３ｂは、２番目の赤色、緑色、及び青色駆動信号の基準デューティ比を保存せず、既に保存されている最初の赤色、緑色、及び青色駆動信号の基準デューティ比が２番目のディミング制御信号ＥＣのディミングレベルに対応するように調節する。
【０１２５】
このように、本発明の第２の実施形態によれば、ディミング制御信号ＥＣが連続的に入り光源モジュール２００の光量が著しく減少する時、ディミング制御信号ＥＣに基づいた補償がディミング制御信号ＥＣの個数ほどなされる。従って、フィードバック補償部４７０が光源モジュール２００でセンシングされた光量に基づいて光量を繰り返して補償することを防ぐため、表示装置の全体的な応答速度が改善される。
【０１２６】
また、ディミング制御信号ＥＣが印加される直前の赤色、緑色、及び青色駆動信号の基準デューティ比が安定か否かを判断した後、安定である場合にのみ基準デューティ比を補償し、より正確な補償を可能にする。
【０１２７】
尚、本発明は、上述の実施形態に限られるものではない。本発明の技術的範囲から逸脱しない範囲内で多様に変更実施することが可能である。
【産業上の利用可能性】
【０１２８】
本発明は、バックライトアセンブリを含む液晶表示装置等に好適に利用することができる。
【符号の説明】
【０１２９】
１００      表示パネル
１１０      タイミング制御部
１３０      データ駆動部
１４０      ゲート駆動部
１５０      パネル駆動部
２００      光源モジュール
２１０、４１０    光量センシング部
２２０、４２０    電流制御部
２２１    ルックアップテーブル
２３０、４３０    ローカルディミング制御部
２３１    代表決定部
２３３、４３３    基準デューティ比決定部
２３３ａ、４３３ａ    ルックアップテーブル
２３５    デューティ比決定部
２５０      光源駆動部
２５１、２５３、２５５    赤色、緑色、及び青色駆動回路
２６０、４６０    補償制御部
２６１      ディミングレベル比較部
２６３      フィードバック周波数調節部
２７０、４７０    フィードバック補償部
２８０、４８０    光源駆動装置
３００、５００    バックライトアセンブリ
４３３ｂ      保存部
４６１      フィードバック中断指示部
４６３      判断部
【図１】
2010134421.tif 000003
【図２】
2010134421.tif 000004
【図３】
2010134421.tif 000005
【図４】
2010134421.tif 000006
【図５】
2010134421.tif 000007
【図６】
2010134421.tif 000008
【図７】
2010134421.tif 000009
【図８】
2010134421.tif 000010